(57)【要約】【課題】  物干しロープが高速で勢いよく巻き取られるのを防止することができる、安全性に優れた物干し装置を提供する。【解決手段】  本発明は、洗濯物を引っ掛けるための物干しロープ４をケーシング３から引き出し可能に構成された物干し装置１に関する。この物干し装置１は、ケーシング３と、ケーシング３の内部に回動自在に収納された物干しロープ４の巻き取りリール１０と、巻き取りリール１０の回動を巻き取り方向に付勢する付勢部材１１と、物干しロープ４の引き出し方向Ｂへの移動を人為的操作により規制及び解除可能なロック手段１２と、付勢部材１１による巻き取りリール１０の巻き取り方向への回動が妨げられない程度に、巻き取りリール１０に抵抗を付与してその巻き取り速度を低減させる制動手段とを備える。【選択図】図１
2012143527.tif 000002
【特許請求の範囲】
【請求項１】
洗濯物を引っ掛けるための物干しロープをケーシングから引き出し可能に構成された物干し装置であって、
前記ケーシングと、
前記ケーシングの内部に回動自在に収納された前記物干しロープの巻き取りリールと、
前記巻き取りリールの回動を巻き取り方向に付勢する付勢部材と、
前記物干しロープの引き出し方向への移動を人為的操作により規制及び解除可能なロック手段と、
前記付勢部材による前記巻き取りリールの巻き取り方向への回動が妨げられない程度に、前記巻き取りリールに抵抗を付与してその巻き取り速度を低減させる制動手段と、
を備えていることを特徴とする物干し装置。
【請求項２】
前記制動手段は、前記ケーシングに組み込まれたギア付きのロータリーダンパと、このダンパの前記ギアが噛合する、前記巻き取りリールに同軸心状に設けられた減速ギアとを有する請求項１に記載の物干し装置。
【請求項３】
前記ロータリーダンパは、前記巻き取りリールの引き出し方向の回動に対する抵抗が、当該巻き取りリールの巻き取り方向の回動に対する抵抗よりも弱くなっている請求項２に記載の物干し装置。
【請求項４】
前記ケーシングは、前記巻き取りリールの回転軸心に沿った方向から見てほぼ矩形のボックス体よりなり、
前記ロータリーダンパは、前記ボックス体の内部のデッドスペースとなっているコーナー部分に配置されている請求項２又は３に記載の物干し装置。
【発明の詳細な説明】
【技術分野】
【０００１】  本発明は、洗濯物を引っ掛けるための物干しロープをケーシングから引き出し可能に構成された物干し装置に関するものである。
【背景技術】
【０００２】  室内用の物干し装置として、例えば特許文献１に記載のものが知られている。この従来の物干し装置は、ケーシングと、ケーシングの内部に回動自在に収納された物干しロープの巻き取りリールと、巻き取りリールの回動を巻き取り方向に付勢するゼンマイバネよりなる付勢部材と、物干しロープの引き出し方向への移動を人為的操作により規制及び解除可能なロック手段とを備えている。【０００３】  上記物干し装置は、ケーシングを一方の壁面に取り付け、他方の壁面に物干しロープの端部が係合可能な受け具を取り付けるようにして使用される。
上記物干し装置によって洗濯物を干す場合には、ユーザは、ロック手段による物干しロープの移動規制を解除した状態で、ケーシングから物干しロープを引き出して受け具に物干しロープの端部を係合させ、ロック手段を操作して物干しロープの引き出し方向への移動規制を行うことにより、物干しロープを室内の壁面間に架け渡す。【０００４】  その後は、直接或いはハンガー等を介して上記物干しロープに洗濯物を引っ掛けることにより、室内での物干し作業が可能となる。
また、上記物干し装置を使用しない場合には、ユーザは、物干しロープの端部を受け具から取り外してから、ロック手段を操作して物干しロープの移動規制を解除する。すると、付勢部材により巻き取りリールが巻き取り方向に回動し、物干しロープがケーシングの内部に自動的に巻き取られて収納されるようになっている。
【先行技術文献】
【特許文献】
【０００５】
【特許文献１】  実開昭５９−１６００９１号公報
【発明の概要】
【発明が解決しようとする課題】
【０００６】  上記従来の物干し装置では、ロック手段による物干しロープの移動規制を解除すると、巻き取りリールが自由に回動可能となり、ゼンマイバネの付勢力がすべて巻き取りリールにそのまま作用する。
このため、従来の物干し装置では、物干しロープをケーシング内に収納するために物干しロープの移動規制を解除すると、高速で勢いよく巻き取られる物干しロープにユーザの手指等が当たって怪我をすることがあり、安全性に劣るという欠点がある。【０００７】  本発明は、このような従来の課題に鑑み、物干しロープが高速で勢いよく巻き取られるのを防止することができる、安全性に優れた物干し装置を提供することを目的とする。
【課題を解決するための手段】
【０００８】  本発明は、洗濯物を引っ掛けるための物干しロープをケーシングから引き出し可能に構成された物干し装置であって、前記ケーシングと、前記ケーシングの内部に回動自在に収納された前記物干しロープの巻き取りリールと、前記巻き取りリールの回動を巻き取り方向に付勢する付勢部材と、前記物干しロープの引き出し方向への移動を人為的操作により規制及び解除可能なロック手段と、前記付勢部材による前記巻き取りリールの巻き取り方向への回動が妨げられない程度に、前記巻き取りリールに抵抗を付与してその巻き取り速度を低減させる制動手段と、を備えていることを特徴とする。【０００９】  本発明によれば、上記制動手段が、付勢部材による巻き取りリールの巻き取り方向への回動が妨げられない程度に、巻き取りリールに抵抗を付与してその巻き取り速度を低減させるので、物干しロープの移動規制を解除した場合でも、物干しロープが高速で勢いよく巻き取られるのが防止される。
このため、物干しロープをケーシング内に収納する際に、巻き取り途中の物干しロープにユーザの手指等が当たって怪我をするのを未然に防止することができ、安全性に優れた物干し装置を得ることができる。【００１０】  本発明において、前記制動手段は、具体的には、前記ケーシングに組み込まれたギア付きのロータリーダンパと、このダンパの前記ギアが噛合する、前記巻き取りリールに同軸心状に設けられた減速ギアとを有するものを採用することができる。
上記ギア付きのロータリーダンパは、汎用部品として市販されている。このため、かかる市販のロータリーダンパをケーシングに組み込むようにすれば、制動手段を構成するための製作コストを抑えることができる。【００１１】  一方、上記制動手段を採用する場合、巻き取りリールの引き出し方向の回動に対する抵抗が大きいと、ユーザが物干しロープを引き出すのに大きな力が必要となり、物干し装置の使い勝手が却って悪くなるという不都合が生じる。
そこで、本発明において、前記ロータリーダンパは、前記巻き取りリールの引き出し方向の回動に対する抵抗が、当該巻き取りリールの巻き取り方向の回動に対する抵抗よりも弱くなっていることが好ましい。【００１２】  このようなロータリーダンパを使用すれば、出来るだけ小さい力でユーザが物干しロープを引き出すことができ、当該ロータリーダンパを設けたことによって物干し装置の使い勝手が悪くなるのを未然に防止することができる。【００１３】  また、本発明の物干し装置において、前記ケーシングが、前記巻き取りリールの回転軸心に沿った方向から見てほぼ矩形のボックス体よりなる場合には、前記ロータリーダンパを、前記ボックス体の内部のデッドスペースとなっているコーナー部分に配置することが好ましい。
この場合、ロータリダンパの収納スペースをケーシングに確保する必要がなくなるので、ケーシングをコンパクト化することができる。
【発明の効果】
【００１４】  以上の通り、本発明によれば、物干しロープが高速で勢いよく巻き取られるのを防止することができるので、物干し装置の安全性を向上することができる。
【図面の簡単な説明】
【００１５】
【図１】  本発明の実施形態に係る物干し装置の断面図である。
【図２】  （ａ）は物干し装置を上から見た斜視図であり、（ｂ）は物干し装置を手前から見た斜視図である。
【図３】  物干しロープを引き出した状態の物干し装置の斜視図である。
【発明を実施するための形態】
【００１６】  以下、図面を参照しつつ、本発明の実施形態を説明する。
図１は、本発明の実施形態に係る物干し装置の断面図である。また、図２（ａ）及び（ｂ）は、その物干し装置の上方及び手前から見た場合の斜視図であり、図３は、物干しロープを引き出した状態の物干し装置の斜視図である。
【００１７】  〔物干し装置の構成〕
図１〜図３に示すように、本実施形態の物干し装置１は、住宅の室内の壁面に取り付けて使用されるものであり、その壁面にネジ等で取り付け可能な取付部材２と、この取付部材２に回動自在に枢着されたケーシング３と、物干しロープ４の端部を着脱自在に係合可能な金属製の受け具５とを備えている。
物干しロープ４は金属製ワイヤの縒り線よりなり、受け具５に引っ掛け可能なぼほ短円筒状の係合体６を引き出し側端部に備えている。
【００１８】  取付部材２は、上下一対の支持フランジ８を有し、この支持フランジ８に設けた枢着ピン９にケーシング３の上下壁部を貫通させて取り付けることにより、ケーシング３が取付部材２に対して上下方向の軸心回りに回動自在に枢着されている。
ケーシング３は、縦横方向の寸法に比べて厚さ寸法が小さい偏平なほぼ正方形状の矩形のボックス体よりなり、その内部に、物干しロープ４の巻き取りリール１０と、このリール１０の回動を巻き取り方向に付勢する付勢部材１１と、物干しロープ４の引き出し方向への移動を人為的操作により規制及び解除可能なロック手段１２とを備えている。
【００１９】  巻き取りリール１０は、ケーシング３の中央部に設けたリール軸１３に回動自在に設けられており、このリール軸１３にゼンマイバネよりなる前記付勢部材１１が取り付けられている。
このゼンマイバネよりなる付勢部材１１は、中心側端部がリール軸１３に固定され、かつ、外周側端部が巻き取りリール１０の内周壁に固定されており、この付勢部材１１のバネ力により、巻き取りリール１０が巻き取り方向Ａに付勢されている。
【００２０】  ロック手段１２は、チャック部材１４とスイッチ部材１５とから構成されている。
このうち、チャック部材１４は、ケーシング３の端壁部１６の上部内面に取り付けられている。このチャック部材１４は、内部に物干しロープ４が挿通されかつボールチャック機構が内装された金属筒体よりなる。このボールチャック機構は、物干しロープ４が巻き取り方向Ａに移動するのは許容するが、引き出し方向Ｂに移動するのを規制するようになっている。
【００２１】  本実施形態のチャック部材１４には、上記ボールチャック機構による規制を解除するように操作可能な操作リング１７が設けられている。なお、かかる操作リング１７付きのチャック部材１４の具体的な内部構造は、本出願人の既得特許（特許第３０４６７０５号公報参照）の場合と同様であるため、詳細な説明を省略する。
スイッチ部材１５は、ケーシング３の上壁部１８に左右方向にスライド自在に設けられたスライドスイッチよりなる。このスイッチ部材１５は、ケーシング３の内部側に突出して操作リング１７に係合する係合爪１９を有している。
【００２２】  従って、スイッチ部材１５を図１のＸ方向に操作すると、操作リング１７が同じＸ方向に移動し、チャック部材１４のボールチャック機構による物干しロープ４の引き出し方向Ｂへの移動規制が解除されるようになっている。
逆に、スイッチ部材１５を図１のＸ方向とは逆のＹ方向に操作すると、操作リング１７が同じＹ方向に戻り、チャック部材１４のボールチャック機構によって物干しロープ４の引き出し方向Ｂへの移動が規制されるようになっている。
【００２３】  図１に示すように、本実施形態の物干し装置１は、ケーシング３の内部に組み込まれたギア２１付きのロータリーダンパ２２を備えている。
このロータリーダンパ２２は、汎用部品として市販されているもので、矩形のケーシング３の内部における、デッドスペースとなっているコーナー部分に配置されている。また、巻き取りリール１０には、ギア２１が噛み合う歯部が外周縁に形成された減速ギア２３が同軸心状に取り付けられている。
【００２４】  上記ロータリーダンパ２２は、円筒体と、この円筒体に挿通されたギア２１の回転軸に設けたフィン（図示せず）とを有し、円筒体内に封入した粘性流体にフィンを浸すことにより、ギア２１の回転に抵抗を付与している。このギア２１に付与する抵抗は、付勢部材１１のバネ力による巻き取りリール１０の巻き取り方向Ａへ回動が妨げられない程度となるように設定されている。
しかして、上記ロータリーダンパ２２と巻き取りリール１０に設けた減速ギア２３とにより、巻き取りリール１０に抵抗を付与してその巻き取り速度を低減させる制動手段が構成されている。
【００２５】  また、本実施形態のロータリーダンパ２２では、ギア２１の回転方向に応じて抵抗が変化するように、上記フィンの形状が設定されている。
具体的には、ロータリーダンパ２２によって付与される抵抗は、巻き取りリール１０の図１の矢印Ｂ方向（引き出し方向）の回動に対する抵抗の方が、図１の矢印Ａ方向（巻き取り方向）の回動に対する抵抗よりも小さくなっている。
【００２６】  〔物干し装置の使用方法と作用〕
上記構成に係る本実施形態の物干し装置１は、取付部材２を介してケーシング３を一方の壁面に取り付け、他方の壁面に受け具５を取り付けるようにして使用される。
かかる物干し装置１によって洗濯物を干す場合には、ユーザは、スイッチ部材１５をＸ方向に操作して物干しロープ４の移動規制を解除し、この状態で、ケーシング３から物干しロープ４を引き出して受け具５に物干しロープ４の係合体６を係合させるようにする。
【００２７】  そして、スイッチ部材１５をＹ方向に操作して物干しロープ４の引き出し方向への移動規制を行うことにより、物干しロープ４を室内の壁面間に架け渡す。
これにより、直接或いはハンガー等を介して物干しロープ４に洗濯物を引っ掛けることができ、室内での物干し作業が可能となる。
【００２８】  また、物干し装置１を使用しない場合には、ユーザは、物干しロープの係合体６を受け具５から取り外してから、スイッチ部材１５をＸ方向に操作して物干しロープ４の移動規制を解除する。
すると、付勢部材１１により巻き取りリール１０が巻き取り方向に回動し、物干しロープ４がケーシング３の内部に自動的に巻き取られて収納される。
【００２９】  このさい、本実施形態の物干し装置１によれば、制動手段が、付勢部材１１による巻き取りリール１０の巻き取り方向Ａへの回動が妨げられない程度に、巻き取りリール１０に抵抗を付与してその巻き取り速度を低減させるので、物干しロープ４の移動規制を解除した場合でも、物干しロープ４が高速で勢いよく巻き取られるのが防止される。
このため、物干しロープ４をケーシング３内に収納する際に、巻き取り途中の物干しロープ４にユーザの手指等が当たって怪我をするのを未然に防止することができ、安全性に優れた物干し装置１を得ることができる。
【００３０】  また、本実施形態の物干し装置１によれば、ギア２１付きのロータリーダンパ２２として、汎用部品として市販されたものを使用しているので、上記制動手段を構成するための製作コストを抑えることができる。
【００３１】  更に、本実施形態の物干し装置１によれば、巻き取りリール１０の引き出し方向Ｂの回動に対する抵抗が、当該巻き取りリール１０の巻き取り方向Ａの回動に対する抵抗よりも弱いロータリーダンパ２２を採用しているので、出来るだけ小さい力で物干しロープＢを引き出すことができる。
このため、ロータリーダンパ２２を設けたことによって物干し装置１の使い勝手が悪くなるのを、未然に防止することができる。
【００３２】  また、本発明の物干し装置１によれば、ケーシング３の内部のデッドスペースとなっているコーナー部分にロータリーダンパ２２を配置しているので、そのダンパ２２の収納スペースをケーシング３に別途確保する必要がなく、ケーシング３をコンパクト化することができるという利点もある。
【００３３】  なお、本発明は上記実施形態に限定されるものではない。
例えば、上記実施形態では、制動手段として、ギア２１付きのロータリーダンパ２２を採用しているが、巻き取りリール１０の回動に抵抗を付与できるものであればこれに限られず、例えば、巻き取りリール１０に転動自在に当接してこれを制動するゴムローラ等であってもよい。
【符号の説明】
【００３４】  １：物干し装置    ２：取付部材    ３：ケーシング    ４：物干しロープ
５：受け具    ６：係合体    １０：巻き取りリール    １１：付勢部材
１２：ロック手段    １４：チャック部材    １５：スイッチ部材
２１：ギア    ２２：ロータリーダンパ（制動手段）    ２３：減速ギア
【図１】
2012143527.tif 000003
【図２】
2012143527.tif 000004
【図３】
2012143527.tif 000005